(57)【特許請求の範囲】
【請求項１】
端末装置と通信する基地局装置であって、
第１のＰＤＣＣＨと異なる第２のＰＤＣＣＨに関連付けられる参照信号を、前記端末装置に送信する送信部を備え、
前記参照信号の生成に用いられる疑似ランダム系列の初期値は、ＲＲＣシグナリングによって設定されるパラメータと、０および１とは異なる予め規定されているスクランブルＩＤとを少なくとも用いて生成され、
前記第２のＰＤＣＣＨにおけるＯＦＤＭシンボルのスタート位置は、ＲＲＣシグナリングによって通知されることを特徴とする基地局装置。
【請求項２】
前記スクランブルＩＤの値が、２であることを特徴とする請求項１に記載の基地局装置。
【請求項３】
前記第２のＰＤＣＣＨの送信で使用されるＤＣＩフォーマットは、前記第１のＰＤＣＣＨの送信に使用できることを特徴とする請求項１に記載の基地局装置。
【請求項４】
基地局装置と通信する端末装置であって、
第１のＰＤＣＣＨと異なる第２のＰＤＣＣＨに関連付けられる参照信号を、前記基地局装置から受信する受信部を備え、
前記参照信号の生成に用いられる疑似ランダム系列の初期値は、ＲＲＣシグナリングによって設定されるパラメータと、０および１とは異なる予め規定されているスクランブルＩＤとを少なくとも用いて生成され、
前記第２のＰＤＣＣＨにおけるＯＦＤＭシンボルのスタート位置は、ＲＲＣシグナリングによって通知されることを特徴とする端末装置。
【請求項５】
前記スクランブルＩＤの値が、２であることを特徴とする請求項４に記載の端末装置。
【請求項６】
前記第２のＰＤＣＣＨの送信で使用されるＤＣＩフォーマットは、前記第１のＰＤＣＣＨの送信に使用できることを特徴とする請求項４に記載の端末装置。
【請求項７】
端末装置と通信する基地局装置の通信方法であって、
第１のＰＤＣＣＨと異なる第２のＰＤＣＣＨに関連付けられる参照信号を、前記端末装置に送信するステップを含み、
前記参照信号の生成に用いられる疑似ランダム系列の初期値は、ＲＲＣシグナリングによって設定されるパラメータと、０および１とは異なる予め規定されているスクランブルＩＤとを少なくとも用いて生成され、
前記第２のＰＤＣＣＨにおけるＯＦＤＭシンボルのスタート位置は、ＲＲＣシグナリングによって通知されることを特徴とする通信方法。
【請求項８】
前記スクランブルＩＤの値が、２であることを特徴とする請求項７に記載の通信方法。
【請求項９】
基地局装置と通信する端末装置の通信方法であって、
第１のＰＤＣＣＨと異なる第２のＰＤＣＣＨに関連付けられる参照信号を、前記基地局装置から受信するステップを含み、
前記参照信号の生成に用いられる疑似ランダム系列の初期値は、ＲＲＣシグナリングによって設定されるパラメータと、０および１とは異なる予め規定されているスクランブルＩＤとを少なくとも用いて生成され、
前記第２のＰＤＣＣＨにおけるＯＦＤＭシンボルのスタート位置は、ＲＲＣシグナリングによって通知されることを特徴とする通信方法。
【請求項１０】
前記スクランブルＩＤの値が、２であることを特徴とする請求項１０に記載の通信方法。
【請求項１１】
端末装置と通信する基地局装置に実装される集積回路であって、
第１のＰＤＣＣＨと異なる第２のＰＤＣＣＨに関連付けられる参照信号を、前記端末装置に送信する機能を含む一連の機能を前記基地局装置に実現させ、
前記参照信号の生成に用いられる疑似ランダム系列の初期値は、ＲＲＣシグナリングによって設定されるパラメータと、０および１とは異なる予め規定されているスクランブルＩＤとを少なくとも用いて生成され、
前記第２のＰＤＣＣＨにおけるＯＦＤＭシンボルのスタート位置は、ＲＲＣシグナリングによって通知されることを特徴とする集積回路。
【請求項１２】
基地局装置と通信する端末装置に実装される集積回路であって、
第１のＰＤＣＣＨと異なる第２のＰＤＣＣＨに関連付けられる参照信号を、前記基地局装置から受信する機能を含む一連の機能を前記端末装置に実現させ、
前記参照信号の生成に用いられる疑似ランダム系列の初期値は、ＲＲＣシグナリングによって設定されるパラメータと、０および１とは異なる予め規定されているスクランブルＩＤとを少なくとも用いて生成され、
前記第２のＰＤＣＣＨにおけるＯＦＤＭシンボルのスタート位置は、ＲＲＣシグナリングによって通知されることを特徴とする集積回路。
【発明の詳細な説明】
【技術分野】
【０００１】
本発明は、基地局、端末、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（セル、送信局、送信装置、ｅＮｏｄｅＢ）および端末（移動端末、受信局、移動局、受信装置、ＵＥ（Ｕｓｅｒ  Ｅｑｕｉｐｍｅｎｔ））に、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術により、高速なデータ伝送を実現することができる。
【０００３】
そのような無線通信システムでは、基地局および端末間で共に既知の信号で構成される伝送路状況測定用参照信号（ＣＳＩ−ＲＳ；Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、パイロット信号、既知信号）を用いることによって、基地局と端末との間の伝送路状況を測定し、その測定結果に基づいて、変調方式および符号化率（ＭＣＳ；Ｍｏｄｕｌａｔｉｏｎ  ａｎｄ  Ｃｏｄｉｎｇ  Ｓｃｈｅｍｅ）、空間多重数（レイヤー数、ランク数）、プレコーディング重み（プレコーディング行列、プレコーダ）などを適応的に制御することで、より効率的なデータ伝送を実現することができる。
【０００４】
また、基地局は、端末に対してデータ信号を送信する場合、基地局および端末間で共に既知の信号で構成されるデータ信号復調用参照信号（ＤＭＲＳ；Ｄｅｍｏｄｕｌａｔｉｏｎ  Ｒｅｆｅｒｅｎｃｅ  Ｓｉｇｎａｌ、ＵＥ−ｓｐｅｃｉｆｉｃ  ＲＳ）を多重して送信する。そのデータ信号復調用参照信号は、端末に対するプレコーディング処理を行う前にデータ信号に対して多重されることができる。そのため、端末は、そのデータ信号復調用参照信号を用いることによって、基地局が行うプレコーディング処理および伝送路状況を含めた等化チャネルを測定することができる。例えば、非特許文献１で記載された方法を用いることができる。これにより、端末は基地局が行うプレコーディング処理を知らなくとも、基地局が送信するデータ信号を復調処理することができる。
【０００５】
一方、カバレッジの広いマクロ基地局と、そのマクロ基地局よりもカバレッジの狭いＲＲＨ（Ｒｅｍｏｔｅ  Ｒａｄｉｏ  Ｈｅａｄ）によりヘテロジーニアスネットワーク構成を用いた無線通信システムを構築することができる。図１３は、ヘテロジーニアスネットワーク構成を用いた無線通信システムの概要図である。図１３に示す例では、マクロ基地局１３０１、ＲＲＨ１３０２、ＲＲＨ１３０３によりヘテロジーニアスネットワーク構成を行なっている。マクロ基地局１３０１はカバレッジ１３０５を構築し、ＲＲＨ１３０２およびＲＲＨ１３０３はそれぞれカバレッジ１３０６およびカバレッジ１３０７を構築している。また、マクロ基地局１３０１は、ＲＲＨ１３０２と回線１３０８を通じて接続しており、ＲＲＨ１３０３と回線１３０９を通じて接続している。これにより、マクロ基地局１３０１は、ＲＲＨ１３０２およびＲＲＨ１３０３と制御信号やデータ信号を送受信することができる。回線１３０８および回線１３０９は、それぞれ光ファイバ等の有線回線やリレー技術を用いた無線回線を用いることができる。このとき、マクロ基地局１３０１、ＲＲＨ１３０２、ＲＲＨ１３０３がそれぞれ一部または全部が同一の周波数（リソース）を用いることで、カバレッジ１３０５のエリア内の総合的な周波数利用効率（伝送容量）が向上できる。
【０００６】
端末１３０４は、カバレッジ１３０６の中に位置している場合、ＲＲＨ１３０２とシングルセル通信することができる。さらに、端末１３０４がカバレッジ１３０６の端付近（セルエッジ）に位置する場合、マクロ基地局１３０１からの同一チャネル干渉に対する対策が必要になる。マクロ基地局１３０１とＲＲＨ１３０２とのマルチセル通信（協調通信）として、隣接基地局間で互いに協調する基地局間協調通信を行うことにより、セルエッジ領域の端末１３０４に対する干渉を軽減または抑圧する方法が検討されている。例えば、非特許文献２にそのような方式として、ＣｏＭＰ（Ｃｏｏｐｅｒａｔｉｖｅ  Ｍｕｌｔｉｐｏｉｎｔ）伝送方式などが検討されている。
【先行技術文献】
【非特許文献】
【０００７】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １０）、２０１０年１２月、３ＧＰＰ  ＴＳ  ３６．２１３  Ｖ１０．０．１  （２０１０−１２）。
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  ９）、２０１０年３月、３ＧＰＰ  ＴＲ  ３６．８１４  Ｖ９．０．０  （２０１０−０３）。
【発明の概要】
【発明が解決しようとする課題】
【０００８】
しかしながら、協調通信することができる無線通信システムにおいて、複数の基地局が、それぞれ異なる端末に対して送信するデータ信号復調用参照信号が同一の場合、互いに干渉することになる。そのため、それぞれの端末が受信するデータ信号復調用参照信号の品質が劣化することになり、伝送効率の向上が妨げられる要因となっていた。
【０００９】
本発明は、上記問題を鑑みてなされたものであり、その目的は、基地局と端末が通信する無線通信システムにおいて、基地局から送信されるデータ信号復調用参照信号を効率的にサポートすることができる基地局、端末、通信システムおよび通信方法を提供することにある。
【課題を解決するための手段】
【００１０】
（１）この発明は上述した課題を解決するためになされたもので、本発明の一態様による基地局は、端末と通信する。基地局は、端末に対するデータ信号を復調するための参照信号を、端末に送信する送信部を備える。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて生成される。
【００１１】
（２）好ましくは、パラメータは、ＲＲＣシグナリングを通じて基地局から端末に通知される複数の値の中から、ＰＤＣＣＨシグナリングを通じて基地局から端末に通知されるスクランブルＩＤにより設定される値である。
【００１２】
（３）また、本発明の一態様による基地局は、端末と通信する。基地局は、端末に対するデータ信号を復調するための参照信号を、端末に送信する送信部を備える。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて生成される。
【００１３】
（４）好ましくは、データ信号は、ＰＤＳＣＨで送信される。
【００１４】
（５）好ましくは、データ信号は、Ｘ−ＰＤＣＣＨで送信される。Ｘ−ＰＤＣＣＨの時間方向の領域は、ＲＲＣシグナリングを通じて基地局から端末に通知されるＯＦＤＭシンボルのスタート位置により設定できる。
【００１５】
（６）また、本発明の一態様による端末は、基地局と通信する。端末は、基地局から送信される端末に対するデータ信号を復調するための参照信号を、基地局から受信する受信部を備える。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて生成される。
【００１６】
（７）好ましくは、パラメータは、ＲＲＣシグナリングを通じて基地局から端末に通知される複数の値の中から、ＰＤＣＣＨシグナリングを通じて基地局から端末に通知されるスクランブルＩＤにより設定される値である。
【００１７】
（８）また、本発明の一態様による端末は、基地局と通信する。端末は、基地局から送信される端末に対するデータ信号を復調するための参照信号を、基地局から受信する受信部を備える。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて生成される。
【００１８】
（９）また、本発明の一態様による通信システムは、端末と基地局とが通信する。基地局は、端末に対するデータ信号を復調するための参照信号を、端末に送信する送信部を備える。端末は、参照信号を、基地局から受信する受信部を備える。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて生成される。
【００１９】
（１０）また、本発明の一態様による通信システムは、端末と基地局とが通信する。基地局は、端末に対するデータ信号を復調するための参照信号を、端末に送信する送信部を備える。端末は、参照信号を、基地局から受信する受信部を備える。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて生成される。
【００２０】
（１１）また、本発明の一態様による通信方法は、端末と通信する基地局において実行される。通信方法は、端末に対するデータ信号を復調するための参照信号を、端末に送信するステップを有する。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて基づいて生成される。
【００２１】
（１２）また、本発明の一態様による通信方法は、端末と通信する基地局において実行される。通信方法は、端末に対するデータ信号を復調するための参照信号を、端末に送信するステップを有する。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて基づいて生成される。
【００２２】
（１３）また、本発明の一態様による通信方法は、基地局と通信する端末において実行される。通信方法は、端末に対するデータ信号を復調するための参照信号を、基地局から受信するステップを有する。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて生成される。
【００２３】
（１４）また、本発明の一態様による通信方法は、基地局と通信する端末において実行される。通信方法は、端末に対するデータ信号を復調するための参照信号を、基地局から受信するステップを有する。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて生成される。
【００２４】
（１５）また、本発明の一態様による集積回路は、端末と通信する基地局に用いられる。集積回路は、端末に対するデータ信号を復調するための参照信号を、端末に送信する機能を実現する。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて生成される。
【００２５】
（１６）また、本発明の一態様による集積回路は、端末と通信する基地局に用いられる。集積回路は、端末に対するデータ信号を復調するための参照信号を、端末に送信する機能を実現する。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて生成される。
【００２６】
（１７）また、本発明の一態様による集積回路は、基地局と通信する端末に用いられる。集積回路は、端末に対するデータ信号を復調するための参照信号を、基地局から受信する機能を実現する。参照信号で用いられる疑似ランダム系列は、端末に固有の情報としてＲＲＣシグナリングを通じて基地局から端末に通知される値に基づいて設定されるパラメータと、ＰＤＣＣＨシグナリングを通じて基地局から端末に通知されるスクランブルＩＤとを少なくとも用いて生成される。
【００２７】
（１８）また、本発明の一態様による集積回路は、基地局と通信する端末に用いられる。集積回路は、端末に対するデータ信号を復調するための参照信号を、基地局から受信する機能を実現する。参照信号で用いられる疑似ランダム系列は、端末に固有の情報としてＲＲＣシグナリングを通じて基地局から端末に通知される値に基づいて設定されるパラメータと、予め規定されているスクランブルＩＤとを少なくとも用いて生成される。
【発明の効果】
【００２８】
この発明によれば、基地局と端末が通信する無線通信システムにおいて、基地局から送信されるデータ信号復調用参照信号を効率的にサポートすることができる。
【図面の簡単な説明】
【００２９】
【図１】本発明の第１の実施形態に係るヘテロジーニアスネットワーク構成を用いる無線通信システムにおけるマルチセル通信を行う一例を示す概略図である。
【図２】本発明の第１の実施形態に係るヘテロジーニアスネットワーク構成を用いる無線通信システムにおけるシングルセル通信を行う一例を示す概略図である。
【図３】本発明の第１の実施形態に係る基地局の構成を示す概略ブロック図である。
【図４】本発明の第１の実施形態に係る端末の構成を示す概略ブロック図である。
【図５】基地局がマッピングする信号の一例を示す図である。
【図６】データ信号復調用参照信号におけるアンテナポートに対する直交符号を示す図である。
【図７】基地局の端末に対する制御情報の通知方法の一例を示す図である。
【図８】１つのコードワードにおけるデータ信号復調用参照信号を設定するための制御情報の一例を示す図である。
【図９】１つのコードワードにおけるデータ信号復調用参照信号を設定するための制御情報の別の一例を示す図である。
【図１０】２つのコードワードにおけるデータ信号復調用参照信号を設定するための制御情報の一例を示す図である。
【図１１】２つのコードワードにおけるデータ信号復調用参照信号を設定するための制御情報の別の一例を示す図である。
【図１２】本発明の第２の実施形態に係る下りリンクにおけるリソースの例を示す図である。
【図１３】ヘテロジーニアスネットワーク構成を用いた無線通信システムの概要図である。
【発明を実施するための形態】
【００３０】
（第１の実施形態）
以下、本発明の第１の実施形態について説明する。本第１の実施形態における通信システムは、基地局（送信装置、セル、送信点、送信アンテナ群、送信アンテナポート群、コンポーネントキャリア、ｅＮｏｄｅＢ）として、プライマリー基地局（マクロ基地局、第１の基地局、第１の通信装置、サービング基地局、アンカー基地局、第１のコンポーネントキャリア）およびセカンダリー基地局（ＲＲＨ、ピコ基地局、フェムト基地局、Ｈｏｍｅ  ｅＮｏｄｅＢ、第２の基地局装置、協調基地局群、協調基地局セット、第２の通信装置、協調基地局、第２のコンポーネントキャリア）、端末（端末装置、移動端末、受信点、受信端末、受信装置、第３の通信装置、受信アンテナ群、受信アンテナポート群、ＵＥ）を備える。なお、セカンダリー基地局は複数であってもよい。また、プライマリー基地局とセカンダリー基地局は、ヘテロジーニアスネットワーク構成を用いており、セカンダリー基地局のカバレッジの一部または全部は、プライマリー基地局のカバレッジに含まれ、端末に対してマルチセル通信やシングルセル通信を行うことができる。以下では、プライマリー基地局およびセカンダリー基地局は、同一周波数のリソース（リソースブロック）を用いて通信を行う場合を考える。
【００３１】
図１は、本発明の第１の実施形態に係るヘテロジーニアスネットワーク構成を用いる無線通信システムにおけるマルチセル通信を行う一例を示す概略図である。図１では、端末１０４がセカンダリー基地局１０２のセルエッジ領域（境界領域）に位置しており、プライマリー基地局１０１およびセカンダリー基地局１０２からのマルチセル通信を行う。
【００３２】
ここで、マルチセル通信とは、複数の基地局が互いに協調して、端末に対するデータ信号や制御信号などの信号を通信することを表す。例えば、ＣｏＭＰ通信が含まれる。具体的には、複数の基地局から同一の信号を端末に送信するジョイント送信（Ｊｏｉｎｔ  ｔｒａｎｓｍｉｓｓｉｏｎ、Ｊｏｉｎｔ  ｐｒｏｃｅｓｓｉｎｇ）、端末に対する信号を送信する基地局を動的に切り替える動的基地局選択（Ｄｙｎａｍｉｃ  ｃｅｌｌ  ｓｅｌｅｃｔｉｏｎ）、基地局間で協調してビームフォーミングを行うことで互いに干渉を低減させる協調ビームフォーミング（Ｃｏｏｒｄｉｎａｔｅｄ  Ｂｅａｍｆｏｒｍｉｎｇ）、基地局間で協調してスケジューリングを行うことで互いに干渉を低減させる協調スケジューリング（Ｃｏｏｒｄｉｎａｔｅｄ  Ｓｃｈｅｄｕｌｉｎｇ）などが含まれる。
【００３３】
図１では、その一例としてジョイント送信を行う場合を示している。端末１０４は、プライマリー基地局１０１と端末１０４との間の下りリンク１０５およびセカンダリー基地局１０２と端末１０４との間の下りリンク１０６を通じて、端末１０４宛のデータ信号を受信する。また、端末１０４宛のデータ信号は、データ信号復調用参照信号が多重される。このとき、プライマリー基地局１０１が送信するデータ信号復調用参照信号とセカンダリー基地局１０２が送信するデータ信号復調用参照信号は同一であることが好ましい。
【００３４】
図２は、本発明の第１の実施形態に係るヘテロジーニアスネットワーク構成を用いる無線通信システムにおけるシングルセル通信を行う一例を示す概略図である。図２では、端末２０４がプライマリー基地局１０１からのシングルセル通信を行い、端末２０５がセカンダリー基地局１０２からのシングルセル通信を行う。プライマリー基地局１０１は、端末２０４宛のデータ信号にデータ信号復調用参照信号を多重して、下りリンク２０６を通じて送信する。セカンダリー基地局１０２は、端末２０５宛のデータ信号にデータ信号復調用参照信号を多重して、下りリンク２０７を通じて送信する。
【００３５】
ここで、シングルセル通信とは、単一の基地局が、端末に対するデータ信号や制御信号などの信号を通信することを表す。例えば、後方互換性を保持する通信システムにおいて規定される従来の送信モードに含まれる通信方法が用いられる。
【００３６】
また、端末２０４宛の信号と端末２０５宛の信号は、同一の周波数領域および時間領域のリソース（リソースブロック）を用いて送信される場合、互いに同一チャネル干渉となる。すなわち、下りリンク２０６を通じて送信される信号は端末２０５に対して干渉を与えることになり、下りリンク２０７を通じて送信される信号は端末２０４に対して干渉を与えることになる。ここで、端末２０４宛のデータ信号と端末２０５宛のデータ信号は、一般に異なっているため、互いに相関が低くなる。そのため、端末２０４および端末２０５は、それぞれ干渉となるデータ信号を白色雑音として扱うことができる。しかしながら、端末２０４宛のデータ信号に多重されるデータ信号復調用参照信号と端末２０５宛のデータ信号に多重されるデータ信号復調用参照信号が、同一の場合、互いに相関が高くなる。端末２０４および端末２０５において、それぞれデータ信号を復調するための伝送路状況の推定精度が大幅に劣化することになる。そのため、プライマリー基地局１０１が送信するデータ信号復調用参照信号とセカンダリー基地局１０２が送信するデータ信号復調用参照信号は異なることが好ましい。
【００３７】
なお、各基地局は、各端末に送信するデータ信号に対して、それぞれの下りリンクの伝送路状況に応じた適応制御を行うことができる。プライマリー基地局１０１およびセカンダリー基地局１０２は、それぞれの基地局に固有の伝送路状況測定用参照信号を送信する。各端末は、プライマリー基地局１０１およびセカンダリー基地局１０２における伝送路状況測定用参照信号の一部または全部を用いることによって、下りリンクの伝送路状況を推定する。各端末は、推定した伝送路状況に基づいて、適応制御を行なうための情報（フィードバック情報）を生成する。各端末は、上りリンクを用いて、そのフィードバック情報をプライマリー基地局１０１またはセカンダリー基地局１０２に送信する。セカンダリー基地局１０２がフィードバック情報を受信した場合、セカンダリー基地局１０２は、光ファイバやリレー技術等を用いた回線（Ｘ２インターフェース）１０３を通じて、プライマリー基地局１０１に送信する。プライマリー基地局１０１は、各端末からのフィードバック情報に基づいて、各端末に対するデータ信号の適応制御やスケジューリングを行い、制御情報を生成する。プライマリー基地局１０１は、回線１０３を通じて、その制御情報をセカンダリー基地局１０２に送信する。その制御情報に基づいて、プライマリー基地局１０１とセカンダリー基地局１０２は、各端末に対してマルチセル通信やシングルセル通信を行う。
【００３８】
図３は、本発明の第１の実施形態に係る基地局の構成を示す概略ブロック図である。ここで、図３に示す基地局は、プライマリー基地局１０１やセカンダリー基地局１０２を含む。図３において、基地局は、上位レイヤー３０１、データ信号生成部３０２、データ信号復調用参照信号多重部３０３、送信信号生成部３０４、送信部３０５を備えている。
【００３９】
上位レイヤー３０１は、各端末に対する情報データをデータリンク層等の上位レイヤーから出力する。このとき、上位レイヤーや物理層における各種制御情報（適応制御情報、スケジューリング情報、基地局情報、端末情報等を含む）は基地局内で共有されている。さらに、プライマリー基地局１０１およびセカンダリー基地局１０２の間（複数のプライマリー基地局間や複数のセカンダリー基地局間も含む）において、回線１０３を通じて互いに各種制御情報が共有されることができる。
【００４０】
データ信号生成部３０２は、入力された情報データに対して、スクランブル処理、符号化処理、変調処理、レイヤーマッピング処理などを行い、データ信号を生成する。なお、データ信号生成部３０２は、コードワードと呼ぶ情報データの単位毎に、スクランブル処理、符号化処理、変調処理を行う。例えば、基地局は、各端末に対して、最大２つのコードワードを送信することができる。
【００４１】
データ信号復調用参照信号多重部３０３は、生成されたデータ信号に対して、データ信号復調用参照信号を多重する。このとき、データ信号復調用参照信号は、データ信号のレイヤー数（ランク数、空間多重数）に応じて、符号分割多重（ＣＤＭ；Ｃｏｄｅ  Ｄｉｖｉｓｉｏｎ  Ｍｕｌｔｉｐｌｅｘｉｎｇ）および／または周波数分割多重（ＦＤＭ；Ｆｒｅｑｕｅｎｃｙ  Ｄｉｖｉｓｉｏｎ  Ｍｕｌｔｉｐｌｅｘｉｎｇ）される。まず、データ信号復調用参照信号は、ＣＤＭするために直交符号として、レイヤー数に応じて、２チップまたは４チップのＷａｌｓｈ符号を用いる。さらに、用いられるＷａｌｓｈ符号に対して、スクランブル符号が重畳される。このスクランブル符号は、Ｇｏｌｄ符号等による擬似ランダム系列が用いられる。また、このスクランブル符号を生成するための初期値が与えられる。そのため、データ信号復調用参照信号多重部３０３は、スクランブル符号の初期値が入力される。データ信号復調用参照信号多重部３０３は、入力されたスクランブル符号の初期値を用いて、スクランブル符号を生成する。本実施形態におけるデータ信号復調用参照信号の詳細は後述される。
【００４２】
送信信号生成部３０４は、データ信号およびデータ信号復調用参照信号に対して、位相回転やビームフォーミングなどを行うためのプレコーディング処理などを行う。ここで、プレコーディング処理は、端末が効率よく受信できるように（例えば、受信電力が最大になるように、または隣接セルからの干渉が小さくなるように、または隣接セルへの干渉が小さくなるように）、生成する信号に対して位相回転などを行うことが好ましい。また、予め決められたプレコーディング行列による処理、ＣＤＤ（Ｃｙｃｌｉｃ  Ｄｅｌａｙ  Ｄｉｖｅｒｓｉｔｙ）等の送信ダイバーシチを用いることができる。
【００４３】
また、送信信号生成部３０４は、プレコーディング処理の後、基地局が決定したスケジューリング情報に基づいて、ＰＤＳＣＨ（Ｐｈｙｓｉｃａｌ  Ｄｏｗｎｌｉｎｋ  Ｓｈａｒｅｄ  Ｃｈａｎｎｅｌ）を用いて、所定のリソースブロック（リソースエレメント）にマッピングする。さらに、送信信号生成部３０４は、端末に対する制御情報を通知するための制御信号を生成し、ＰＤＣＣＨ（Ｐｈｙｓｉｃａｌ  Ｄｏｗｎｌｉｎｋ  Ｃｏｎｔｒｏｌ  Ｃｈａｎｎｅｌ）を用いて、所定のリソースエレメントにマッピングする。本実施形態における制御信号の詳細は後述される。
【００４４】
送信部３０５は、ＩＦＦＴ（Ｉｎｖｅｒｓｅ  Ｆａｓｔ  Ｆｏｕｒｉｅｒ  Ｔｒａｎｓｆｏｒｍ）やガードインターバルの付加等を行った後、少なくとも１つの送信アンテナ数（送信アンテナポート数）の送信アンテナから送信する。
【００４５】
図４は、本発明の第１の実施形態に係る端末の構成を示す概略ブロック図である。ここで、図４に示す端末は、端末１０４、端末２０４、端末２０５を含む。図４において、端末は、受信部４０１、受信信号処理部４０２、伝送路推定部４０３、データ信号処理部４０４、上位レイヤー４０５を備えている。
【００４６】
受信部４０１は、少なくとも１つの受信アンテナ数（受信アンテナポート数）の受信アンテナにより、基地局がマルチセル通信またはシングルセル通信により送信した信号を受信する。
【００４７】
受信信号処理部４０２は、付加されたガードインターバルを除去し、高速フーリエ変換（ＦＦＴ；Ｆａｓｔ  Ｆｏｕｒｉｅｒ  Ｔｒａｎｓｆｏｒｍ）などにより時間周波数変換処理を行い、周波数領域の信号に変換する。また、受信信号処理部４０２は、基地局がマッピングした制御信号、データ信号およびデータ信号復調用参照信号をデマッピング（分離）する。受信信号処理部４０２は、制御信号の中から、自分の端末宛の制御信号を探索し、自分の端末宛の制御情報を識別する。その制御情報は、端末内に共有され、データ信号の復調等に用いられる。
【００４８】
伝送路推定部４０３は、データ信号復調用参照信号を用いて、データ信号を復調するための伝送路状況を推定する。ここで、伝送路推定部４０３には、基地局で用いられたスクランブル符号の初期値が入力される。この初期値に基づいて、スクランブル符号が生成され、データ信号復調用参照信号は、デスクランブル処理が行われる。デスクランブル処理されたデータ信号復調用参照信号は、データ信号のレイヤー数に応じて、２チップまたは４チップのＷａｌｓｈ符号に対して逆拡散処理され、伝送路推定値が生成される。ここで、基地局で用いられたスクランブル符号の初期値の通知方法は後述される。
【００４９】
伝送路推定処理では、各レイヤー（ランク、空間多重）に対する、それぞれのリソースエレメントにおける振幅と位相の変動（周波数応答、伝達関数）を推定（伝送路推定）し、伝送路推定値を求める。なお、データ信号復調用参照信号がマッピングされていないリソースエレメントは、データ信号復調用参照信号がマッピングされたリソースエレメントに基づいて、周波数方向および時間方向に補間し、伝送路推定を行う。
【００５０】
データ信号処理部４０４は、入力されたデータ信号および推定された伝送路推定値に基づいて、伝送路変動に対する補償処理（フィルタ処理）を行う。伝送路補償処理されたデータ信号は、識別された制御情報に基づいて、レイヤーデマッピング処理、復調処理、デスクランブル処理、復号処理などを行い、上位レイヤー４０５に出力する。伝送路補償処理では、入力されたデータ信号に対して、推定された伝送路推定値を用いて、伝送路補償を行い、レイヤー毎のデータ信号を検出（復元）する。その検出方法としては、ＺＦ（Ｚｅｒｏ  Ｆｏｒｃｉｎｇ）基準やＭＭＳＥ（Ｍｉｎｉｍｕｍ  Ｍｅａｎ  Ｓｑｕａｒｅ  Ｅｒｒｏｒ）基準の等化、干渉除去などを用いることができる。レイヤーデマッピング処理では、レイヤー毎の信号をそれぞれのコードワードにデマッピング処理を行う。以降、コードワード毎に処理を行う。復調処理では、用いた変調方式に基づいて復調を行う。デスクランブル処理では、用いたスクランブル符号に基づいて、デスクランブル処理を行う。復号処理では、施した符号化方法に基づいて、誤り訂正復号処理を行う。
【００５１】
図５は、基地局がマッピングする信号の一例を示す図である。図５は、データ信号復調用参照信号、データ信号、制御信号をマッピングした１つのリソースブロックペアを示している。また、図５は、１つのサブフレーム内の２つのリソースブロックを表しており、１つのリソースブロックは周波数方向に１２のサブキャリアと時間方向に７のＯＦＤＭシンボルで構成される。１つのＯＦＤＭシンボルのうち、それぞれのサブキャリアをリソースエレメントと呼ぶ。それぞれのサブフレームのうち、時間方向に前後の７つのＯＦＤＭシンボルをそれぞれスロットと呼ぶ。１つのサブフレームに含まれる連続する２つのリソースブロックをリソースブロックペアと呼ぶ。
【００５２】
ここで、リソースブロックは、通信システムが用いる周波数帯域幅（システム帯域幅）に応じて、その数を変えることができる。例えば、６〜１１０個のリソースブロックを用いることができ、それを１単位としてコンポーネントキャリアとも呼ぶ。さらに、周波数アグリゲーションにより、全システム帯域幅を１１０個以上にすることも可能である。つまり、連続または非連続な最大５つのコンポーネントキャリアを構成することができる。また、プライマリー基地局１０１のコンポーネントキャリアとセカンダリー基地局のコンポーネントキャリアを周波数アグリゲーションとして、端末は設定されることもできる。
【００５３】
図５では、先頭の３つのＯＦＤＭシンボルはＰＤＣＣＨ領域として、制御信号はＰＤＣＣＨ領域のリソースエレメントにマッピングされる。データ信号復調用参照信号は、斜線で網掛けしたリソースエレメントにマッピングされる。データ信号復調用参照信号は、ＣＤＭの単位に応じて、リソースエレメントが異なるようにマッピングされる。データ信号は、白く塗りつぶしたリソースエレメントにマッピングする。なお、図５に図示したリソースエレメントには、伝送路状況測定用参照信号（ＣＳＩ−ＲＳ；Ｃｈａｎｎｅｌ  Ｓｔａｔｅ  Ｉｎｆｏｒｍａｔｉｏｎ−ＲＳ、ゼロパワー（ミューティング）も含む）やセル固有参照信号（ＣＲＳ；Ｃｅｌｌ−ｓｐｅｃｉｆｉｃ  ＲＳ）等もマッピングされることができる。
【００５４】
以下では、データ信号復調用参照信号の詳細を説明する。データ信号復調用参照信号は、まずＷａｌｓｈ符号を用いた直交符号がマッピングされ、その後にＧｏｌｄ符号を用いたスクランブル符号が重畳される。
【００５５】
図６は、データ信号復調用参照信号におけるアンテナポートに対する直交符号を示す図である。図６では、アンテナポートの番号は、７〜１４で規定される。また、最大レイヤー数を８とし、レイヤー数に応じて、用いるアンテナポートの番号が異なる。具体的には、レイヤー数が８の場合、アンテナポート７〜１４が用いられる。レイヤー数が８未満の場合、アンテナポート７〜１４の一部が用いられる。例えば、レイヤー数が４の場合、アンテナポート７〜１０が用いられ、レイヤー数が１の場合、アンテナポート７または８のいずれかが用いられる。
【００５６】
また、データ信号復調用参照信号は、多重されるデータ信号のレイヤー数に応じて、マッピングされるリソースエレメントの数やマッピングする系列を変えることができる。レイヤー数が１〜２の場合、Ｄ１で示したＣＤＭグループ１のリソースエレメントに２チップの直交符号がマッピングされる。レイヤー数が３〜４の場合、レイヤー数が１〜２の場合にマッピングした直交符号に加えて、Ｄ２で示したＣＤＭグループ２のリソースエレメントに２チップの直交符号がマッピングされる。レイヤー数が５〜８の場合、Ｄ１で示したＣＤＭグループ１およびＤ２で示したＣＤＭグループ２のリソースエレメントに４チップの直交符号がマッピングされる。
【００５７】
次に、データ信号復調用参照信号はスクランブル符号が重畳される。また、スクランブル符号は、各アンテナポートで同一の系列が用いられる。スクランブル符号は以下の式で定義される系列ｒ（ｍ）により与えられる。
【数１】
0005725676.tif 000002
ただし、ＮＲＢｍａｘ，ＤＬは下りリンクにおける最大のリソースブロック数を示し、例えば１１０とすることができる。
【００５８】
また、ｃ（ｎ）はＧｏｌｄ符号であり、以下の式で定義される。
【数２】
0005725676.tif 000003
ただし、Ｎｃは定数であり、例えば１６００とすることができる。
【００５９】
また、１番目のＭ系列の初期値は以下の式で定義される。
【数３】
0005725676.tif 000004
【００６０】
また、２番目のＭ系列の初期値は以下の式で定義される。
【数４】
0005725676.tif 000005
【数５】
0005725676.tif 000006
ただし、ｎｓは無線フレーム内のスロット番号である。ＮＩＤｃｅｌｌはセルＩＤ（Ｉｄｅｎｔｉｔｙ）であり、基地局（セル）に固有の番号である。
【００６１】
ここで、ヘテロジーニアスネットワーク構成に含まれるプライマリー基地局およびセカンダリー基地局は、それぞれ異なるセルＩＤを設定することもできる（Ｄｉｆｆｅｒｅｎｔ  ｃｅｌｌ  ＩＤ）。また、ヘテロジーニアスネットワーク構成に含まれるプライマリー基地局およびセカンダリー基地局の全部または一部が同一のセルＩＤを設定されることもできる（Ｓｈａｒｅｄ  ｃｅｌｌ  ＩＤ、Ｓａｍｅ  ｃｅｌｌ  ＩＤ）。
【００６２】
また、ｎＳＣＩＤはスクランブルＩＤ（Ｉｄｅｎｔｉｔｙ）であり、ＰＤＣＣＨシグナリングまたはＲＲＣ（Ｒａｄｉｏ  Ｒｅｓｏｕｒｃｅ  Ｃｏｎｔｒｏｌ）シグナリングによって設定される。また、スクランブルＩＤは、設定されるレイヤー数に応じて、予め規定しておくこともできる。ここで、ＰＤＣＣＨシグナリングは、物理レイヤーを通じて、動的（アダプティブ）に端末へ通知される制御情報であり、ＰＤＣＣＨを通じて端末に通知される。ＲＲＣシグナリングは、物理レイヤーよりも上位レイヤー（ＲＲＣレイヤー）を通じて、準静的（セミスタティック）に端末へ通知される制御情報である。また、ＰＤＣＣＨシグナリングによる制御情報は、ＲＲＣシグナリングによる制御情報よりも短い周期で通知できる。なお、各シグナリングは、同一のチャネルを通じて、それぞれ異なる周期で通知される制御情報とすることもできる。また、ｎＳＣＩＤは第１のスクランブルＩＤとも呼ばれる。また、ＰＤＣＣＨシグナリングにより通知される制御信号は第１の制御信号とも呼ばれ、ＲＲＣシグナリングにより通知される制御信号は第２の制御信号とも呼ばれる。
【００６３】
以下では、本発明における基地局の端末に対して設定する制御情報について説明する。図７は、基地局の端末に対する制御情報の通知方法の一例を示す図である。
【００６４】
基地局は、端末に対して、ＲＲＣシグナリングにより送信モードを設定する。本発明における送信モードでは、基地局は、その端末に対してシングルセル通信および／またはマルチセル通信を行うことができる。例えば、この送信モードは、後方互換性を保持する通信システムにおいて定義される従来の送信モード（第１の送信モード）とは異なる新たな送信モード（送信モード１０、第２の送信モード）として定義される。
【００６５】
ここで、第１の送信モードは、従来から定義されている１つまたは複数の送信モードの全部または一部である。例えば、第１の送信モードは、送信モード１〜９として定義される。送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７〜１４を用いる閉ループ空間多重方式を用いる送信モードである。
【００６６】
また、第２の送信モードは、第１の送信モードとは異なる送信モードとして定義され、例えば、送信モード１０として定義される。例えば、送信モード１０は、マルチセル通信方式を用いる送信モードとすることができる。また、送信モード１０は、送信モード１〜９で示した全部または一部の通信方式に加えて、マルチセル通信方式を用いる送信モードとすることができる。例えば、送信モード１０は、送信モード９で示した通信方式に加えて、マルチセル通信方式を用いる送信モードとすることができる。また、送信モード１０は、複数の伝送路状況測定用参照信号を設定することができる送信モードとすることができる。なお、基地局は、複数の送信方式を用いることができる送信モード１０に設定した端末に対して、データ信号を送信するに際し、複数の送信方式のいずれかを用いたことを通知しなくても通信できる。すなわち、端末は、複数の送信方式を用いることができる送信モード１０に設定されたとしても、データ信号を受信するに際し、複数の送信方式のいずれかを用いたことが通知されなくても通信できる。
【００６７】
次に、基地局は、端末に対して、ＲＲＣシグナリングによりレポーティングモードを設定する。本発明におけるレポーティングモードは、端末が下りリンクにおいて適応制御を行うために、基地局に対して、フィードバック情報（レポーティング情報）を通知する方法である。また、レポーティングモードは、送信モードに対応して定義されている。また、レポーティングモードは、基地局毎（設定されるＣＳＩ−ＲＳ毎）に設定することもできるし、設定される複数の基地局の全部または一部に対して設定することもできる。なお、レポーティングモードの設定は、送信モードの設定と同時に行うことができる。
【００６８】
ここで、フィードバック情報が、基地局に対する推奨送信フォーマット情報である場合を説明する。フィードバック情報は、基地局および端末共に既知の送信フォーマットが予めインデックス化されているものとし、端末はその送信フォーマットを用いた情報をフィードバックし、基地局はその情報を用いて適応制御する。具体的には、ＣＱＩ（Ｃｈａｎｎｅｌ  Ｑｕａｌｉｔｙ  Ｉｎｄｉｃａｔｏｒ）は符号化率および変調方式を示す情報のため、それぞれ符号化処理および変調処理を制御できる。ＰＭＩ（Ｐｒｅｃｏｄｉｎｇ  Ｍａｔｒｉｘ  Ｉｎｄｅｘ）はプレコーディング行列を示す情報のため、プレコーディング処理を制御できる。ＲＩ（Ｒａｎｋ  Ｉｎｄｉｃａｔｏｒ）はレイヤー数を示す情報のため、レイヤーマッピング処理やコードワードを生成する上位層に対して制御できる。また、リソースへのマッピングに関するフィードバック情報も含まれる場合、リソースエレメントマッピング処理に対して制御することもできる。さらに、端末は、マルチセル通信を行うためのフィードバック情報（複数の基地局（設定されるＣＳＩ−ＲＳ）に基づいて生成されるフィードバック情報）を通知する。例えば、複数の基地局間の位相差情報、マルチセル通信時に好適なＲＩ、ＰＭＩ、ＣＱＩ等が通知される。
【００６９】
さらに、基地局は、端末に対して、ＰＤＣＣＨシグナリングによりデータ信号復調用参照信号を設定する。具体的には、データ信号復調用参照信号を構成するスクランブル符号を生成するための初期値が設定される。ここで、ＰＤＣＣＨシグナリングを通じて設定される制御情報は、ＤＣＩ（Ｄｏｗｎｌｉｎｋ  Ｃｏｎｔｒｏｌ  Ｉｎｆｏｒｍａｔｉｏｎ）フォーマットによって定義される。例えば、このＤＣＩフォーマットは、後方互換性を保持する通信システムにおいて定義される従来のＤＣＩフォーマット（第１のフォーマット）とは異なる新たなＤＣＩフォーマット（ＤＣＩフォーマット２Ｄ、第２のフォーマット）として定義される。すなわち、基地局は、端末に対して、ＤＣＩフォーマット２Ｄを用いて、データ信号復調用参照信号を構成するスクランブル符号を生成するための初期値を設定するための制御情報を通知する。
【００７０】
また、ＤＣＩフォーマットは、設定される送信モードによってインプリシットに決められることができる。例えば、従来の送信モードが設定された端末は、基地局から通知されるＤＣＩフォーマットが従来のＤＣＩフォーマットであると認識し、基地局からの制御信号から自分の端末宛の制御情報を検出する。また、送信モード１０が設定された端末は、基地局から通知されるＤＣＩフォーマットがＤＣＩフォーマット２Ｄであると認識し、基地局からの制御信号から自分の端末宛の制御情報を検出する。
【００７１】
以下では、データ信号復調用参照信号を構成するスクランブル符号を生成するための初期値を設定するための制御情報の通知方法の詳細を説明する。
【００７２】
図８は、１つのコードワードにおけるデータ信号復調用参照信号を設定するための制御情報の一例を示す図である。図８では、３ビットで実現される８つの状態（状態０〜状態７）を用いて、ランク数、送信アンテナポートの番号、スクランブルＩＤが通知される。例えば、状態０は、ランク数が１、送信アンテナポートの番号が７、スクランブルＩＤが０を示す。状態５は、ランク数が２、送信アンテナポートの番号が７〜８、スクランブルＩＤが１を示す。状態７は、ランク数が４、送信アンテナポートの番号が７〜１０を示す。また、状態６および状態７では、スクランブルＩＤは予め規定しておき、例えばスクランブルＩＤは０とする。なお、ＲＲＣシグナリングにより、スクランブルＩＤは通知されることもできる。
【００７３】
なお、図８に示す制御情報は、従来のシステムで用いられる制御情報との互換性を保つように構成することもできる。例えば、従来のシステムで用いられる制御情報のうち、Ｒｅｓｅｒｖｅｄとなっている状態（状態７）に、新たな状態が追加されてもよい。すなわち、新たな状態である図８に示す状態５（ランク数が２、送信アンテナポートの番号が７〜８、スクランブルＩＤが１）は、Ｒｅｓｅｒｖｅｄとなっている状態（状態７）に追加されてもよい。
【００７４】
なお、図８に示す制御情報は、通知するスクランブルＩＤをＸとし、ＸはＲＲＣシグナリングで通知したスクランブルＩＤを用いるように構成してもよい。例えば、Ｘは０〜１５のいずれかをＲＲＣシグナリングにより設定することができる。例えば、スクランブルＩＤが０および１に加えて、Ｘは制御情報に追加されることができる。また、スクランブルＩＤが０または１のいずれかに代えて、Ｘが制御情報に設定されることができる。また、スクランブルＩＤが０および１に代えて、Ｘ０およびＸ１が制御情報に設定されることができる。
【００７５】
図８に示す制御情報を用いることによって、基地局は、端末に対して、ランク数が４までの通信と、スクランブルＩＤが設定できるランク数が２までの通信を効率的に設定できる。さらに、それらの通信は動的（ダイナミック）に設定できる。例えば、基地局は、端末に対して、ランク数が４までのＳＵ−ＭＩＭＯとランク数が２までのＭＵ−ＭＩＭＯの通信を効率的に設定できる。また、例えば、基地局は、端末に対して、ランク数が４までのシングルセル通信とランク数が２までのマルチセル通信を効率的に設定できる。
【００７６】
図９は、１つのコードワードにおけるデータ信号復調用参照信号を設定するための制御情報の別の一例を示す図である。図９では、３ビットで実現される８つの状態（状態０〜状態７）を用いて、ランク数、送信アンテナポートの番号、スクランブルＩＤが通知される。例えば、状態０は、ランク数が１、送信アンテナポートの番号が７、スクランブルＩＤが０を示す。状態３は、ランク数が１、送信アンテナポートの番号が７、スクランブルＩＤが３を示す。状態７は、ランク数が４、送信アンテナポートの番号が７〜１０、スクランブルＩＤが１を示す。
【００７７】
なお、図９で示す制御情報のうち、状態０〜状態５は、送信アンテナポートの番号が７および８におけるスクランブルＩＤがそれぞれ０〜２を示すように構成してもよい。例えば、状態０〜２は、送信アンテナポートの番号が７であり、スクランブルＩＤがそれぞれ０〜２を示す。状態３〜５は、送信アンテナポートの番号が８であり、スクランブルＩＤがそれぞれ０〜２を示す。
【００７８】
なお、図９で示す制御情報のうち、状態４〜状態７は、それぞれランク数が１〜４を示すように構成してもよい。例えば、状態４は、ランク数が１、送信アンテナポートの番号が８を示す。状態５〜７は、それぞれランク数が２〜４を示す。そのとき、スクランブルＩＤは、予め規定しておき、例えばスクランブルＩＤは０とする。なお、ＲＲＣシグナリングにより、スクランブルＩＤは通知されることもできる。
【００７９】
なお、図９に示す制御情報は、通知するスクランブルＩＤをＸとし、ＸはＲＲＣシグナリングで通知したスクランブルＩＤを用いるように構成してもよい。例えば、Ｘは０〜１５のいずれかをＲＲＣシグナリングにより設定することができる。例えば、スクランブルＩＤが０〜３に加えて、Ｘは制御情報に追加されることができる。また、スクランブルＩＤが０〜３のいずれかに代えて、Ｘが制御情報に設定されることができる。また、スクランブルＩＤが０〜３の一部または全部に代えて、Ｘ０〜Ｘ３が制御情報に設定されることができる。
【００８０】
図９に示す制御情報を用いることによって、基地局は、端末に対して、設定できるスクランブルＩＤの数を増加させることができ、効率的にスケジューリングできる。また、図９で示す制御情報が、低いランク数において、スクランブルＩＤの数を多くするように設定することにより、基地局は、端末に対して、効率的に制御情報を通知できる。
【００８１】
図１０は、２つのコードワードにおけるデータ信号復調用参照信号を設定するための制御情報の一例を示す図である。図１０では、３ビットで実現される８つの状態（状態０〜状態７）を用いて、ランク数、送信アンテナポートの番号、スクランブルＩＤが通知される。例えば、状態０は、ランク数が２、送信アンテナポートの番号が７〜８、スクランブルＩＤが０を示す。状態３は、ランク数が２、送信アンテナポートの番号が７〜８、スクランブルＩＤが３を示す。状態７は、ランク数が４、送信アンテナポートの番号が７〜１０、スクランブルＩＤが１を示す。
【００８２】
なお、図１０に示す制御情報のうち、状態２および状態３で示す状態は、将来のシステムで用いられる状態のためにそれぞれＲｅｓｅｒｖｅｄとすることができる。
【００８３】
なお、図１０に示す制御情報は、通知するスクランブルＩＤをＸとし、ＸはＲＲＣシグナリングで通知したスクランブルＩＤを用いるように構成してもよい。例えば、Ｘは０〜１５のいずれかをＲＲＣシグナリングにより設定することができる。例えば、スクランブルＩＤが０〜３に加えて、Ｘは制御情報に追加されることができる。また、スクランブルＩＤが０〜３のいずれかに代えて、Ｘが制御情報に設定されることができる。また、スクランブルＩＤが０〜３の一部または全部に代えて、Ｘ０〜Ｘ３が制御情報に設定されることができる。
【００８４】
図１０に示す制御情報を用いることによって、基地局は、端末に対して、設定できるスクランブルＩＤの数を増加させることができ、効率的にスケジューリングできる。また、図１０で示す制御情報が、低いランク数において、スクランブルＩＤの数を多くするように設定することにより、基地局は、端末に対して、効率的に制御情報を通知できる。
【００８５】
図１１は、２つのコードワードにおけるデータ信号復調用参照信号を設定するための制御情報の別の一例を示す図である。図１１では、４ビットで実現される１６つの状態（状態０〜状態１５）を用いて、ランク数、送信アンテナポートの番号、スクランブルＩＤが通知される。例えば、状態０は、ランク数が２、送信アンテナポートの番号が７〜８、スクランブルＩＤが０を示す。状態５は、ランク数が４、送信アンテナポートの番号が７〜１０、スクランブルＩＤが１を示す。状態６〜９は、それぞれランク数が５〜８を示す。なお、状態６〜９におけるスクランブルＩＤは、それぞれ予め規定しておくこともでき、例えばスクランブルＩＤは０とする。なお、ＲＲＣシグナリングにより、スクランブルＩＤは通知されることもできる。状態１０〜１５は、将来のシステムで用いられる状態のためにそれぞれＲｅｓｅｒｖｅｄとする。
【００８６】
なお、図１１で示す制御情報は、図１０で示す制御情報のように、低いランク数において、スクランブルＩＤの数を多くするようにさらに設定することもできる。
【００８７】
なお、図１１に示す制御情報は、通知するスクランブルＩＤをＸとし、ＸはＲＲＣシグナリングで通知したスクランブルＩＤを用いるように構成してもよい。例えば、Ｘは０〜１５のいずれかをＲＲＣシグナリングにより設定することができる。例えば、スクランブルＩＤが０および１に加えて、Ｘは制御情報に追加されることができる。また、スクランブルＩＤが０または１のいずれかに代えて、Ｘが制御情報に設定されることができる。また、スクランブルＩＤが０および１に代えて、Ｘ０およびＸ１が制御情報に設定されることができる。
【００８８】
図１１に示す制御情報を用いることによって、基地局は、端末に対して、ランク数が８までの通信と、スクランブルＩＤが設定できるランク数が４までの通信を効率的に設定できる。さらに、それらの通信は動的（ダイナミック）に設定できる。例えば、基地局は、端末に対して、ランク数が８までのＳＵ−ＭＩＭＯとランク数が４までのＭＵ−ＭＩＭＯの通信を効率的に設定できる。また、例えば、基地局は、端末に対して、ランク数が８までのシングルセル通信とランク数が４までのマルチセル通信を効率的に設定できる。
【００８９】
以下では、データ信号復調用参照信号を構成するスクランブル符号を生成するための初期値を設定するための制御情報の通知方法の別の例を説明する。図８〜図１１で説明した制御情報では、１つの状態によって、ランク数、送信アンテナポートの番号、スクランブルＩＤを示すジョイントコーディングを用いた。この通知方法では、スクランブルＩＤは、ランク数および送信アンテナポートの番号と異なる独立した制御情報として構成される。すなわち、スクランブルＩＤは、それ単体で制御情報として構成され、例えば、２ビットによって０〜３のいずれかを示す。また、このスクランブルＩＤを示す制御情報は、ＲＲＣシグナリングによって設定されることができる。また、このスクランブルＩＤを示す制御情報は、ＤＣＩフォーマット２Ｄに含まれる制御情報として、ＰＤＣＣＨシグナリングによって設定されることができる。なお、このスクランブルＩＤを示す制御情報のうちの１つまたは複数の状態は、ＲＲＣシグナリングで通知したスクランブルＩＤを用いるように構成してもよい。例えば、０〜１５のいずれかがＲＲＣシグナリングによりそれぞれ設定されることができる。
【００９０】
以下では、データ信号復調用参照信号を構成するスクランブル符号を生成するための初期値を設定する方法の別の例を説明する。この設定方法で用いられる２番目のＭ系列の初期値ｃｉｎｉｔは以下の式で定義される。
【数６】
0005725676.tif 000007
【００９１】
ここで、ｎＸＩＤは、制御情報として、基地局から端末に対して通知されるパラメータであり、従来のシステムで用いられるｃｉｎｉｔに対して加算される。そのパラメータｎＸＩＤは、他の制御情報とジョイントコーディングして通知されてもよく、それ単体の制御情報として通知されてもよい。そのパラメータｎＸＩＤが他の制御情報とジョイントコーディングして通知される場合、そのパラメータｎＸＩＤは、例えば、ランク数、送信アンテナポートの番号、スクランブルＩＤ等の制御情報とジョイントコーディングされる。また、そのパラメータｎＸＩＤがそれ単体の制御情報として通知される場合、そのパラメータｎＸＩＤは、例えば、２ビットによって０〜３のいずれかを示す。また、そのパラメータｎＸＩＤを示す制御情報は、ＲＲＣシグナリングによって設定されることができる。また、そのパラメータｎＸＩＤを示す制御情報は、ＤＣＩフォーマット２Ｄに含まれる制御情報として、ＰＤＣＣＨシグナリングによって設定されることができる。なお、そのパラメータｎＸＩＤを示す制御情報のうちの１つまたは複数の状態は、ＲＲＣシグナリングで通知したスクランブルＩＤを用いるように構成してもよい。例えば、０〜１５のいずれかがＲＲＣシグナリングによりそれぞれ設定されることができる。また、ｎＳＣＩＤは第１のスクランブルＩＤとも呼ばれ、ｎＸＩＤは第２のスクランブルＩＤとも呼ばれる。
【００９２】
また、スクランブルＩＤまたはパラメータｎＸＩＤは、他の制御情報等によりインプリシットに決定されることができる。例えば、スクランブルＩＤまたはパラメータｎＸＩＤは、セルＩＤと別に設定されるローカルセルＩＤによりインプリシットに決定される。ここで、ローカルセルＩＤは、マクロセルやＲＲＨに固有のパラメータであり、セル毎やＣＳＩ−ＲＳ毎に設定される。また、スクランブルＩＤまたはパラメータｎＸＩＤは、ＣＳＩ−ＲＳによりインプリシットに決定され、例えばＣＳＩ−ＲＳを設定するための制御情報（インデックス）により決定される。また、スクランブルＩＤまたはパラメータｎＸＩＤは、ＵＥに固有の番号（ｎＲＮＴＩ）によりインプリシットに決定される。スクランブルＩＤまたはパラメータｎＸＩＤが他の制御情報等によりインプリシットに決定されることにより、基地局は端末に対する制御情報のオーバヘッドを低減しつつ、効率的なスケジューリングができる。
【００９３】
以上のように、本実施形態で説明した方法を用いることにより、基地局は、端末に対して、効率的に制御情報を通知し、データ信号復調用参照信号を構成するスクランブル符号の種類を増やすことができる。そのため、基地局は、端末に対して、効率的にスケジューリングや適応制御が行えるため、伝送効率を向上させることができる。
【００９４】
また、ヘテロジーニアスネットワーク構成に含まれるプライマリー基地局およびセカンダリー基地局の全部または一部に同一のセルＩＤが設定される場合、本実施形態で説明した方法を用いることにより、プライマリー基地局およびセカンダリー基地局の全部または一部は、それぞれ異なる端末に対して割り当てるデータ信号復調用参照信号の干渉を低減させることができる。そのため、プライマリー基地局およびセカンダリー基地局の全部または一部は、それぞれ異なる端末に対して、同一のリソースを用いるデータ通信を効率的に行うことができる。
【００９５】
また、ヘテロジーニアスネットワーク構成に含まれるプライマリー基地局およびセカンダリー基地局の全部または一部にそれぞれ異なるセルＩＤが設定される場合、本実施形態で説明した方法を用いることにより、プライマリー基地局およびセカンダリー基地局の全部または一部は、端末に対して、効率的にスケジューリングや適応制御が行えるため、伝送効率を向上させることができる。
【００９６】
（第２の実施形態）
以下、本発明の第２の実施形態について説明する。本第２の実施形態における通信システムで用いる制御情報は、第１の実施形態で説明したＰＤＣＣＨ領域のリソースを用いるシグナリングに加えて、ＰＤＳＣＨ領域の一部のリソースを用いるシグナリングによって通知される。本第２の実施形態における通信システムは、第１の実施形態における通信システムと同様である。以下では、第１の実施形態で説明した部分を説明する。
【００９７】
図１２は、本発明の第２の実施形態に係る下りリンクにおけるリソースの例を示す図である。図１２で示すリソースでは、第１の実施形態で説明したリソースのＰＤＣＣＨおよびＰＤＳＣＨに加えて、ＰＤＳＣＨ領域の一部をＸ−ＰＤＣＣＨとして、制御情報を通知する領域が追加される。Ｘ−ＰＤＣＣＨの周波数方向の領域は、所定のリソースブロック数の領域に割り当てられる。Ｘ−ＰＤＣＣＨの時間方向の領域は、そのサブフレーム内のＯＦＤＭシンボルのスタート位置により決定される。Ｘ−ＰＤＣＣＨのスタート位置は、予め規定されており、例えばサブフレーム内の４番目のＯＦＤＭシンボルとする。また、Ｘ−ＰＤＣＣＨのスタート位置は、基地局からのＲＲＣシグナリングにより通知され、準静的に設定される。また、ＰＤＣＣＨが１番目と２番目のＯＦＤＭシンボルにより構成され、Ｘ−ＰＤＣＣＨのスタート位置が４番目のＯＦＤＭシンボルである場合、Ｘ−ＰＤＣＣＨを構成するリソースブロック幅における３番目のＯＦＤＭシンボルは、ヌルにする。また、前記ヌルにする領域には、別の制御信号を割り当てることができる。
【００９８】
また、Ｘ−ＰＤＣＣＨのスタート位置がＰＤＣＣＨ領域に含まれる場合、基地局は、そのサブフレームについて、Ｘ−ＰＤＣＣＨのスタート位置をＰＤＣＣＨ領域に含まないように設定できる。また、Ｘ−ＰＤＣＣＨのスタート位置がＰＤＣＣＨ領域に含まれる場合、端末は、そのサブフレームについて、Ｘ−ＰＤＣＣＨのスタート位置をＰＤＣＣＨ領域に含まないように設定されているものと認識する。これにより、制御情報のオーバヘッドを増やすことなく、効率的なデータ通信が実現できる。
【００９９】
また、Ｘ−ＰＤＣＣＨは、所定の送信モード（例えば、送信モード１０、第２の送信モード）に設定された端末に対する制御信号がマッピングされる。所定の送信モードに設定された端末は、Ｘ−ＰＤＣＣＨ領域から自分宛の制御信号を検出する。また、基地局は、Ｘ−ＰＤＣＣＨを通じて、複数の端末に対する制御情報を通知することができる。また、基地局は、所定の送信モードに設定された端末に対する制御信号が、Ｘ−ＰＤＣＣＨ領域にあるか否かをＰＤＣＣＨシグナリングまたはＲＲＣシグナリングにより通知する。また、Ｘ−ＰＤＣＣＨで通知される制御信号は、本発明の第１の実施形態で説明したＤＣＩフォーマット（ＤＣＩフォーマット２Ｄ）と同様のフォーマットにより構成される。また、Ｘ−ＰＤＣＣＨで通知される制御信号は、本発明の第１の実施形態で説明したＤＣＩフォーマットと異なるフォーマット（例えば、ＤＣＩフォーマット２Ｅ）により構成される。また、Ｘ−ＰＤＣＣＨを通じて通知される制御信号は、第３の制御信号とも呼ばれる。
【０１００】
Ｘ−ＰＤＣＣＨ領域を含むリソースブロックには、本発明の第１の実施形態で説明したデータ信号復調用参照信号が同様に割り当てられる。すなわち、基地局は、端末に対して、ＰＤＣＣＨシグナリングまたはＲＲＣシグナリングにより、データ信号復調用参照信号を構成するスクランブル符号を通知する。その通知方法は、本発明の第１の実施形態で説明した方法を用いることができる。
【０１０１】
以上のように、本実施形態で説明した方法を用いることにより、基地局は、端末に対する制御情報を通知できる領域を増やすことができる。さらに、基地局は、端末に対して、効率的に制御情報を通知し、データ信号復調用参照信号を構成するスクランブル符号の種類を増やすことができる。そのため、基地局は、端末に対して、効率的にスケジューリングや適応制御が行えるため、伝送効率を向上させることができる。
【０１０２】
また、ヘテロジーニアスネットワーク構成に含まれるプライマリー基地局およびセカンダリー基地局の全部または一部に同一のセルＩＤが設定される場合、本実施形態で説明した方法を用いることにより、プライマリー基地局およびセカンダリー基地局の全部または一部は、端末に対する制御情報を通知できる領域を増やすことができ、それぞれ異なる端末に対して割り当てるデータ信号復調用参照信号の干渉を低減させることができる。そのため、プライマリー基地局およびセカンダリー基地局の全部または一部は、それぞれ異なる端末に対して、同一のリソースを用いるデータ通信を効率的に行うことができる。
【０１０３】
また、ヘテロジーニアスネットワーク構成に含まれるプライマリー基地局およびセカンダリー基地局の全部または一部にそれぞれ異なるセルＩＤが設定される場合、本実施形態で説明した方法を用いることにより、プライマリー基地局およびセカンダリー基地局の全部または一部は、端末に対する制御情報を通知できる領域を増やすことができ、端末に対して効率的にスケジューリングや適応制御が行えるため、伝送効率を向上させることができる。
【０１０４】
なお、上記各実施形態では、フィードバック情報は、伝送路状況を示す情報を用いることができる。端末は、基地局からの伝送路状況測定用参照信号を用いて、基地局との伝送路状況の情報をフィードバックする。その際、伝送路状況を示す情報は、固有値分解や量子化などの様々な方法を用いて、情報量を削減してもよい。基地局では、フィードバックされた伝送路状況の情報を用いて、端末に対する制御を行う。例えば、基地局では、フィードバックされた情報に基づいて、端末が受信したときの最適な受信ができるように符号化率及び変調方式、レイヤー数、プレコーディング行列を決定でき、その方法は様々なものを用いることができる。
【０１０５】
なお、上記各実施形態では、プライマリー基地局１０１およびセカンダリー基地局１０２のマルチセル通信によりデータ信号が送信される場合でも、各端末は、セカンダリー基地局１０２が協調通信していることを認識しなくても、データ信号の受信処理を行うことができる。つまり、プライマリー基地局１０１は、端末１０４に対して、マルチセル通信を行なっている場合でも、シングルセル通信を行うときに用いる制御情報を用いることができる。具体的には、プライマリー基地局１０１およびセカンダリー基地局１０２が端末１０４に対して同一のデータ信号を送信する場合、端末１０４はプライマリー基地局から通知される制御情報をシングルセル通信の場合と同様の処理を行うことにより、特別な処理を行うことなく受信処理ができる。
【０１０６】
なお、上記各実施形態では、プライマリー基地局１０１とセカンダリー基地局１０２とが協調して通信を行う場合について説明した。ここで言う基地局は、セルラーシステムにおける物理的な基地局装置であってもよいのは勿論であるが、この他にもそれぞれにセルを張りながら協調する送信装置（中継装置を含む）の組（第１の送信装置と第２の送信装置）、あるいは互いに異なるアンテナポート（第１のポートと第２のポート）で伝送路状況測定用参照信号を送信しながら協調する送信装置の組であれば、プライマリー基地局１０１とセカンダリー基地局１０２とすることができ、上記各実施形態と同様の効果を得ることができる。例えば、プライマリー基地局１０１はセルラーシステムにおける基地局装置であり、セカンダリー基地局１０１はプライマリー基地局１０２により制御され動作する送信装置（例えば、ＲＲＵ（Ｒｅｍｏｔｅ  Ｒａｄｉｏ  Ｕｎｉｔ）、ＲＲＥ（Ｒｅｍｏｔｅ  Ｒａｄｉｏ  Ｅｑｕｉｐｍｅｎｔ）、Ｄｉｓｔｒｉｂｕｔｅｄ  ａｎｔｅｎｎａ）とすることもできるし、逆にセカンダリー基地局１０２がセルラーシステムにおける基地局装置であり、プライマリー基地局１０１はセカンダリー基地局１０２により制御され動作する送信装置とすることもできる。または、プライマリー基地局１０１とセカンダリー基地局１０２ともに、セルラーシステムにおける物理的な基地局装置により制御され動作する送信装置であってもよい。
【０１０７】
なお、上記各実施形態では、プライマリー基地局１０１とセカンダリー基地局１０２との協調通信について、主にセカンダリー基地局１０２がプライマリー基地局１０１に隣接する場合を説明したが、これに限るものではない。例えば、ヘテロジーニアスネットワークのようにプライマリー基地局１０１の通信エリアとセカンダリー基地局１０２の通信エリアが全部または一部がオーバーラップしている場合でも、上記各実施形態で説明した同様の効果が得られる。その際、それぞれの基地局のコンポーネントキャリア（キャリア周波数）は全部または一部がオーバーラップしてもよい。具体的には、プライマリー基地局１０１をマクロセルとし、セカンダリー基地局１０２をピコセルやフェムトセル（Ｈｏｍｅ  ｅＮｏｄｅＢ）などのマクロセルの通信エリアよりも小さい通信エリアが、プライマリー基地局１０１の通信エリア内にオーバーラップする場合でも適用できる。
【０１０８】
なお、上記各実施形態では、情報データ信号、制御情報信号、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０１０９】
本発明に関わるプライマリー基地局１０１、セカンダリー基地局１０２および端末１０４で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１１０】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態におけるプライマリー基地局１０１、セカンダリー基地局１０２および端末１０４の一部、または全部を典型的には集積回路であるＬＳＩとして実現してもよい。プライマリー基地局１０１、セカンダリー基地局１０２および端末１０４の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１１１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１１２】
本発明は、無線基地局装置や無線端末装置や無線通信システムや無線通信方法に用いて好適である。
【符号の説明】
【０１１３】
１０１  プライマリー基地局
１０２  セカンダリー基地局
１０３  回線
１０４、２０４、２０５  端末
１０５、１０６、２０６、２０７  下りリンク
３０１、４０５  上位レイヤー
３０２  データ信号生成部
３０３  データ信号復調用参照信号多重部
３０４  送信信号生成部
３０５  送信部
４０１  受信部
４０２  受信信号処理部
４０３  伝送路推定部
４０４  データ信号処理部
１３０１  マクロ基地局
１３０２、１３０３  RRH
１３０４  端末
１３０５、１３０６、１３０７  カバレッジ
１３０８、１３０９  回線
【図１】
0005725676.tif 000008
【図２】
0005725676.tif 000009
【図３】
0005725676.tif 000010
【図４】
0005725676.tif 000011
【図５】
0005725676.tif 000012
【図６】
0005725676.tif 000013
【図７】
0005725676.tif 000014
【図８】
0005725676.tif 000015
【図９】
0005725676.tif 000016
【図１０】
0005725676.tif 000017
【図１１】
0005725676.tif 000018
【図１２】
0005725676.tif 000019
【図１３】
0005725676.tif 000020